(57)【要約】【課題】有機発光ダイオード構造層の第２、第３の端辺領域における、湾曲領域の幅の設計自由度を向上させる。【解決手段】本開示に係る表示装置は、画素アレイ部を有する有機発光ダイオード構造層と、前記有機発光ダイオード構造層の第１の端辺側に接続され、前記有機発光ダイオード構造層の裏面側に折り返されたフィルムと、前記フィルム上に配置された集積回路と、を含み、前記有機発光ダイオード構造層との接続領域における前記フィルムの幅が、前記集積回路が配置された領域における前記フィルムの幅よりも小さい。【選択図】図３
2019003026.tif 000002
【特許請求の範囲】
【請求項１】
画素アレイ部を有する有機発光ダイオード構造層と、
前記有機発光ダイオード構造層の第１の端辺側に接続され、前記有機発光ダイオード構造層の裏面側に折り返されたフィルムと、
前記フィルム上に配置された集積回路と、を含み、
前記有機発光ダイオード構造層との接続領域における前記フィルムの幅が、前記集積回路が配置された領域における前記フィルムの幅よりも小さい、
表示装置。
【請求項２】
前記有機発光ダイオード構造層において、前記第１の端辺と交差する第２の端辺領域及び第３の端辺領域が湾曲した、
請求項１に記載の表示装置。
【請求項３】
前記フィルムにおいて、平面視で前記第２の端辺領域及び第３の端辺領域と重畳する領域は、前記第２の端辺領域及び第３の端辺領域の湾曲方向と同じ方向に湾曲した、
請求項２に記載の表示装置。
【請求項４】
平面視で、前記第２の端辺領域及び前記第３の端辺領域と、前記有機発光ダイオード構造層と前記フィルムとの接続領域とが重ならない、
請求項２又は３に記載の表示装置。
【請求項５】
前記第２の端辺領域と前記第３の端辺領域の湾曲軸は、前記第１の端辺に交差する、
請求項２乃至４のいずれか一つに記載の表示装置。
【請求項６】
前記フィルム上に配置され、前記有機発光ダイオード構造層に含まれた駆動電源回路に接続された駆動電源線を更に含み、
前記駆動電源線は、前記集積回路の配置位置から離れる方向に屈曲する屈曲部を有する、
請求項１乃至５のいずれか一つに記載の表示装置。
【請求項７】
前記フィルムに接続されたＦＰＣを更に備え、
前記ＦＰＣは、前記フィルムにおける、前記有機発光ダイオード構造層との接続領域と対向する端辺側に接続された、
請求項１乃至６のいずれか一つに記載の表示装置。
【請求項８】
前記ＦＰＣとの接続領域における前記フィルムの幅が、前記集積回路が配置された領域における前記フィルムの幅よりも小さい、
請求項７に記載の表示装置。
【請求項９】
前記有機発光ダイオード構造層において、前記第１の端辺と交差する第２の端辺領域及び第３の端辺領域が湾曲し、
平面視で、前記第２の端辺領域及び前記第３の端辺領域と、前記ＦＰＣと前記フィルムとの接続領域とが重ならない、
請求項７又は８に記載の表示装置。
【請求項１０】
前記有機発光ダイオード構造層の表面側に設けられたカバーガラスを更に含み、
前記カバーガラスにおいて、平面視で前記第２の端辺領域及び第３の端辺領域と重畳する領域は、前記第２の端辺領域及び第３の端辺領域の湾曲方向と同じ方向に湾曲した、
請求項２に記載の表示装置。
【発明の詳細な説明】
【技術分野】
【０００１】
本発明は、表示装置に関する。
【背景技術】
【０００２】
有機エレクトロルミネッセンス（electroluminescence：ＥＬ）表示装置などのフラットパネルディスプレイは基板上に薄膜トランジスタ（thin film transistor：ＴＦＴ）や有機発光ダイオード（organic light-emitting diode：ＯＬＥＤ）などが形成された表示パネルを有する。表示パネルの基材には従来、ガラス基板が用いられていたが近年、当該基材にポリイミド膜などの樹脂フィルム等を用いて、表示パネルを曲げることができるフレキシブルディスプレイの開発が進められている。
【０００３】
フレキシブルディスプレイの用途として、表示パネルの画像表示領域より外側に設けられ、樹脂フィルム上に集積回路（integrated circuit：ＩＣ）が搭載されたチップ・オン・フィルム（Chip on film: ＣＯＦ）を、画像表示領域の裏側に折り曲げて狭額縁化を図ることが考えられている。
【０００４】
下記特許文献１においては、画素アレイ部を有する有機発光ダイオード構造層の下端側にＣＯＦが接続され、当該ＣＯＦの一部が湾曲することにより、ＣＯＦの他部が画像表示領域の裏側に折り返さる。更に、下記特許文献１においては、有機発光ダイオード構造層の左端領域、及び右端領域においても湾曲領域が設けられた構成が開示されている。
【先行技術文献】
【特許文献】
【０００５】
【特許文献１】米国特許出願公開第２０１６／０１７２４２８号明細書
【発明の概要】
【発明が解決しようとする課題】
【０００６】
しかし、上記従来の構成においては、有機発光ダイオード構造層の左端領域と右端領域、即ち、有機発光ダイオード構造層がＣＯＦなどのフィルムと接続される第１の端辺と交差する第２の端辺領域、及び第３の端辺領域における湾曲領域の幅の設計自由度が低かった。上記従来の構成においては、フィルム上に複数配線が配置されるが、この配線は、フィルム上に搭載された集積回路の配置領域を迂回して配置される。そのため、フィルムの横幅は、集積回路の配置領域を迂回して配置された配線形成領域に応じて幅広に形成する必要がある。フィルムの横幅が幅広になると、画像表示領域の第１の端辺側におけるフィルムとの接続部が幅広になってしまう。上述した通り、フィルムは裏面側に折り返されるため、当該フィルムを含めて画像表示領域における第２、第３の端辺領域を湾曲させようとすると、フィルムに２方向の曲げが発生することになり、フィルムに大きなストレスがかかってしまうため現実的ではない。そのため、有機発光ダイオード構造層の第２、第３の端辺領域における湾曲領域の幅は、フィルムと画像表示領域との接続幅によって制限され、設計自由度が低くなってしまっていた。
【０００７】
本発明は、上記問題点に鑑みてなされたものであり、その目的は、有機発光ダイオード構造層の第２、第３の端辺領域における、湾曲領域の幅の設計自由度を向上させることである。
【課題を解決するための手段】
【０００８】
（１）本開示に係る表示装置は、画素アレイ部を有する有機発光ダイオード構造層と、前記有機発光ダイオード構造層の第１の端辺側に接続され、前記有機発光ダイオード構造層の裏面側に折り返されたフィルムと、前記フィルム上に配置された集積回路と、を含み、前記有機発光ダイオード構造層との接続領域における前記フィルムの幅が、前記集積回路が配置された領域における前記フィルムの幅よりも小さい。
【０００９】
（２）上記（１）における表示装置は、前記有機発光ダイオード構造層において、前記第１の端辺と交差する第２の端辺領域及び第３の端辺領域が湾曲した構成としてもよい。
【００１０】
（３）上記（２）における表示装置は、前記フィルムにおいて、平面視で前記第２の端辺領域及び第３の端辺領域と重畳する領域は、前記第２の端辺領域及び第３の端辺領域の湾曲方向と同じ方向に湾曲した構成としてもよい。
【００１１】
（４）上記（２）〜（３）における表示装置は、平面視で、前記第２の端辺領域及び前記第３の端辺領域と、前記有機発光ダイオード構造層と前記フィルムとの接続領域とが重ならない構成としてもよい。
【００１２】
（５）上記（２）〜（４）における表示装置は、前記第２の端辺領域と前記第３の端辺領域の湾曲軸は、前記第１の端辺に交差する構成としてもよい。
【００１３】
（６）上記（１）〜（５）における表示装置は、前記フィルム上に配置され、前記有機発光ダイオード構造層に含まれた駆動電源回路に接続された駆動電源線を更に含み、前記駆動電源線は、前記集積回路の配置位置から離れる方向に屈曲する屈曲部を有する構成としてもよい。
【００１４】
（７）上記（１）〜（６）における表示装置において、前記フィルムに接続されたＦＰＣを更に備え、前記ＦＰＣは、前記フィルムにおける、前記有機発光ダイオード構造層との接続領域と対向する端辺側に接続された構成としてもよい。
【００１５】
（８）上記（７）における表示装置において、前記ＦＰＣとの接続領域における前記フィルムの幅が、前記集積回路が配置された領域における前記フィルムの幅よりも小さい構成としてもよい。
【００１６】
（９）上記（７）〜（８）における表示装置は、前記有機発光ダイオード構造層において、前記第１の端辺と交差する第２の端辺領域及び第３の端辺領域が湾曲し、平面視で、前記第２の端辺領域及び前記第３の端辺領域と、前記ＦＰＣと前記フィルムとの接続領域とが重ならない構成としてもよい。
【００１７】
（１０）上記（２）における表示装置は、前記有機発光ダイオード構造層の表面側に設けられたカバーガラスを更に含み、前記カバーガラスにおいて、平面視で前記第２の端辺領域及び第３の端辺領域と重畳する領域は、前記第２の端辺領域及び第３の端辺領域の湾曲方向と同じ方向に湾曲した構成としてもよい。
【図面の簡単な説明】
【００１８】
【図１】図１は、本実施形態に係る表示装置の概略の構成を示す模式図である。
【図２】図２は、本実施形態に係る表示装置の表示パネルの表面側を示す模式的な平面図である。
【図３】図３は、本実施形態に係る表示装置の表示パネルが湾曲領域にて折り返された状態の裏面側を示す模式的な平面図である。
【図４】図４は、図３に示すＩＶ−ＩＶ線に沿った位置での有機発光ダイオード構造層の模式的な垂直断面図である。
【図５】図５は、図２に示すＶ−Ｖ線に沿った位置での有機発光ダイオード構造層の模式的な垂直断面図である。
【発明を実施するための形態】
【００１９】
［第１の実施形態］
以下、本発明の実施の形態について、図面に基づいて説明する。
【００２０】
なお、本開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。さらに特に断りのない限り、本発明の実施形態同士は互いに組み合わせることが可能である。
【００２１】
本実施形態に係る表示装置２は、例えば有機エレクトロルミネッセンス表示装置であり、テレビ、パソコン、携帯端末、携帯電話等に搭載される。図１は本実施形態に係る表示装置２の概略の構成を示す模式図である。表示装置２は、画像を表示する画素アレイ部４と、当該画素アレイ部４を駆動する駆動部とを備える。表示装置２は、ガラスなどからなる基材を有していてもよい。表示装置２は、可撓性を有するフレキシブルディスプレイであってもよく、その場合は可撓性を有した樹脂フィルムなどからなる基材を有していてもよい。表示装置２は、当該基材の内部又は上方に設けられた配線と、を含む配線層を有する。
【００２２】
画素アレイ部４には画素に対応して有機発光ダイオード６及び画素回路８がマトリクス状に配置される。画素回路８は、点灯ＴＦＴ（ｔｈｉｎ  ｆｉｌｍ  ｔｒａｎｓｉｓｔｏｒ）１０、駆動ＴＦＴ１２、及びキャパシタ１４などを含む。
【００２３】
一方、駆動部は、走査線駆動回路２０、映像線駆動回路２２、駆動電源回路２４及び制御装置２６を含み、画素回路８を駆動し、有機発光ダイオード６の発光を制御する。
【００２４】
走査線駆動回路２０は画素の水平方向の並び（画素行）ごとに設けられた走査信号線２８に接続されている。走査線駆動回路２０は制御装置２６から入力されるタイミング信号に応じて走査信号線２８を順番に選択し、選択した走査信号線２８に、点灯ＴＦＴ１０をオンする電圧を印加する。
【００２５】
映像線駆動回路２２は画素の垂直方向の並び（画素列）ごとに設けられた映像信号線３０に接続されている。映像線駆動回路２２は制御装置２６から映像信号を入力され、走査線駆動回路２０による走査信号線２８の選択に合わせて、選択された画素行の映像信号に応じた電圧を各映像信号線３０に出力する。当該電圧は、選択された画素行にて点灯ＴＦＴ１０を介してキャパシタ１４に書き込まれる。駆動ＴＦＴ１２は書き込まれた電圧に応じた電流を有機発光ダイオード６に供給し、これにより、選択された走査信号線２８に対応する画素の有機発光ダイオード６が発光する。
【００２６】
駆動電源回路２４は画素列ごとに設けられた駆動電源線３２に接続され、駆動電源線３２及び選択された画素行の駆動ＴＦＴ１２を介して有機発光ダイオード６に電流を供給する。
【００２７】
ここで、有機発光ダイオード６の下部電極は駆動ＴＦＴ１２に接続される。一方、各有機発光ダイオード６の上部電極は、全画素の有機発光ダイオード６に共通の電極で構成される。下部電極を陽極（アノード）として構成する場合は、高電位が入力され、上部電極は陰極（カソード）となって低電位が入力される。下部電極を陰極（カソード）として構成する場合は、低電位が入力され、上部電極は陽極（アノード）となって高電位が入力される。
【００２８】
図２は、本実施形態における表示装置２の表示パネル４０の表面側を示す模式的な平面図である。図２に示すように、表示パネル４０は、画素アレイ部４を有する有機発光ダイオード構造層３００と、この有機発光ダイオード構造層３００の第１の端辺側（本実施形態においては下端側）に接続されたフィルム２００とを有する。
【００２９】
フィルム２００は、その表面側に集積回路４８が配置されている。フィルム２００は、例えばポリイミドなどの樹脂からなり、フィルム２００と集積回路４８によりＣＯＦを構成している。
【００３０】
また、本実施形態においては、フィルム２００における、有機発光ダイオード構造層３００との接続領域（本実施形態においては上端側）と対向する端辺側（本実施形態においては下端側）に、ＦＰＣ(Flexible Printed Circuits)５２が接続された構成としている。ＦＰＣ５２は、上述した走査線駆動回路２０、映像線駆動回路２２、駆動電源回路２４及び制御装置２６等に電気的に接続されている。
【００３１】
駆動電源線３２は、フィルム２００上の左端、及び右端を延伸し、集積回路４８を通らずに、有機発光ダイオード構造層３００における駆動電源回路２４と、ＦＰＣ５２とを接続している。駆動電源線３２は、集積回路４８の配置領域を迂回するための屈曲部を有している。即ち、駆動電源線３２は、集積回路４８の配置位置から離れる方向に屈曲する屈曲部を有する。ここで、図２に示すように、屈曲部の屈曲角度は９０度である必要はなく、集積回路４８の配置位置に対して離れる方向に屈曲していればよい。
【００３２】
映像信号線３０は、フィルム２００上の略中央を延伸し、集積回路４８を通って、有機発光ダイオード構造層３００における映像線駆動回路２２と、ＦＰＣ５２とを接続している。
【００３３】
走査信号線２８は、フィルム２００上における駆動電源線３２と映像信号線３０との間を延伸し、集積回路４８を通って、有機発光ダイオード構造層３００における走査線駆動回路２０と、ＦＰＣ５２とを接続している。
【００３４】
集積回路４８が配置された領域におけるフィルム２００の横幅Ｗ２は、集積回路４８の配置領域を迂回して配置された駆動電源線３２の形成領域に応じて幅広に形成する必要がある。
【００３５】
ここで、本実施形態において、フィルム２００における有機発光ダイオード構造層３００との接続領域の横幅Ｗ１が、集積回路４８が配置された領域におけるフィルム２００の横幅Ｗ２よりも小さい構成としている。また、本実施形態においては、ＦＰＣ５２の上端に接続された領域におけるフィルム２００の横幅Ｗ３が、横幅Ｗ２よりも小さい構成としている。
【００３６】
なお、図２においては便宜上表示していないが、本実施形態においては、有機発光ダイオード構造層３００の表面側には、カバーガラスを設ける構成としている。
【００３７】
図２に示す有機発光ダイオード構造層３００に接続されるフィルム２００の上端側は湾曲領域４４となっており、フィルム２００における湾曲領域４４より下方側、及びＦＰＣ５２は、有機発光ダイオード構造層３００の裏面側に折り返される。
【００３８】
図３は、湾曲領域４４にて折り返された状態の本実施形態における表示装置２の表示パネル４０の裏面側を示す模式的な平面図である。図３に示すように、湾曲領域４４により折り返されたフィルム２００の大部分とＦＰＣ５２が、有機発光ダイオード構造層３００の裏面側に配置されている。また、フィルム２００の表面側に配置された集積回路４８も、フィルム２００が裏面側に折り返されたことに伴って、有機発光ダイオード構造層３００の裏面側に配置されている。
【００３９】
図３に示すように、有機発光ダイオード構造層３００の表面側においては、有機発光ダイオード構造層３００よりも面積の大きいカバーガラス２５０を設けており、有機発光ダイオード構造層３００の裏面側から、カバーガラス２５０の一部が露出している。
【００４０】
本開示の表示パネル４０は、第１の端辺に交差する第２の端辺領域（本実施形態においては左端領域２６０）、及び第３の端辺領域（本実施形態においては、右端領域２７０）が湾曲した構成としている。第２の端辺領域と第３の端辺領域の湾曲軸は、第１の端辺に交差し、本実施形態においては直交している。
【００４１】
図４は、図３に示すＩＶ−ＩＶ線に沿った位置での有機発光ダイオード構造層３００の模式的な垂直断面図であり、有機発光ダイオード構造層３００の左端領域２６０、及び右端領域２７０を湾曲させた状態を示す。
【００４２】
図３、４に示すように、カバーガラス２５０において、平面視で有機発光ダイオード構造層３００の左端領域２６０、及び右端領域２７０と重畳する領域は、有機発光ダイオード構造層３００の左端領域２６０、右端領域２７０の湾曲方向と同じ方向に湾曲する構成としている。同様に、フィルム２００において、平面視で有機発光ダイオード構造層３００の左端領域２６０、及び右端領域２７０と重畳する領域は、有機発光ダイオード構造層３００の左端領域２６０、右端領域２７０の湾曲方向と同じ方向に湾曲する構成としている。
【００４３】
ここで、図２を用いて上述したとおり、集積回路４８が配置された領域におけるフィルム２００の横幅Ｗ２は、集積回路４８の配置領域を迂回して配置された配線形成領域に応じて幅広に形成する必要がある。
【００４４】
しかし、本開示においては、図２、３に示すように、フィルム２００における有機発光ダイオード構造層３００との接続領域の横幅Ｗ１が、集積回路４８が配置された領域におけるフィルム２００の横幅Ｗ２よりも小さくなるよう、フィルム２００がくびれを有する構成としている。
【００４５】
そのため、フィルム２００に対する２方向の曲げが発生するのを抑制した設計を行う際に、平面視において、横幅Ｗ２よりも小さな横幅Ｗ１を有する接続領域に重ならない範囲内であれば、左端領域２６０、及び右端領域２７０の曲げ領域を自由に形成することができる。その結果として、有機発光ダイオード構造層の、左端領域２６０、及び右端領域２７０における湾曲領域の幅の設計自由度を向上させることができるのである。
【００４６】
更に、図２を用いて上述したとおり、ＦＰＣ５２の上端に接続された領域におけるフィルム２００の横幅Ｗ３が、横幅Ｗ２よりも小さい構成としている。
【００４７】
ここで、ＦＰＣ５２とフィルム２００との接続信頼性を考慮すると、図３に示すように、フィルム２００が湾曲領域４４にて有機発光ダイオード構造層３００の裏面側に折り返された状態で、平面視において、ＦＰＣ５２とフィルム２００の接続領域が、左端領域２６０、及び右端領域２７０の曲げ領域に重ならないことが望ましい。
【００４８】
この課題に対し、本実施形態に構成によれば、集積回路４８が配置された領域におけるフィルム２００の横幅Ｗ２よりも小さい横幅Ｗ３と重ならない範囲内であれば、左端領域２６０、及び右端領域２７０の曲げ領域を自由に形成することができる。その結果として、有機発光ダイオード構造層の左端領域２６０、及び右端領域２７０における湾曲領域の幅の設計自由度を向上させることができるのである。
【００４９】
以下、図５を用いて、本実施形態における有機発光ダイオード構造層３００の具体的な構造について例示する。図５は、図２に示すＶ−Ｖ線に沿った位置での有機発光ダイオード構造層３００の模式的な垂直断面図である。図５に示すように、本実施形態の有機発光ダイオード構造層３００は、アレイ基板５０を有する。本実施形態においては、アレイ基板５０を構成する材料としてポリイミドを用いている。ただし、シートディスプレイとして十分な可撓性を有する基材であれば、アレイ基板５０を構成する材料として、他の樹脂材料を用いてもよい。
【００５０】
アレイ基板５０の上方には、アンダーコート層として、第１シリコン酸化膜５４、第１シリコン窒化膜５６、第２シリコン酸化膜５８を含む三層積層構造を設けている。最下層の第１シリコン酸化膜５４は、アレイ基板５０との密着性向上のため、中層の第１シリコン窒化膜５６は、外部からの水分及び不純物のブロック膜として、最上層の第２シリコン酸化膜５８は、第１シリコン窒化膜５６中に含有される水素原子が半導体層側に拡散しないようにするブロック膜として、それぞれ設けられる。なお、アンダーコート層は、特にこの構造に限定されるものではなく、更なる積層を有する構造であってもよいし、単層構造あるいは二層構造としてもよい。
【００５１】
アンダーコート層の上方には、第１駆動ＴＦＴ１２Ａ、第２駆動ＴＦＴ１２Ｂ、第３駆動ＴＦＴ１２Ｃが設けられる。各駆動ＴＦＴ１２は、チャネル領域とソース・ドレイン領域との間に、低濃度不純物領域が設けられた構造を有する。本実施形態においては、ゲート絶縁膜６０としてシリコン酸化膜を用い、ゲート電極としてＴｉ、Ａｌの積層構造からなる第１配線６２を用いている。第１配線６２は、駆動ＴＦＴ１２のゲート電極としての機能に加え、保持容量線としても機能する。即ち、第１配線６２は、ポリシリコン膜６４との間で、保持容量の形成に用いられる。
【００５２】
駆動ＴＦＴ１２の上方においては、層間絶縁膜となる第２シリコン窒化膜６６、及び第３シリコン酸化膜６８をそれぞれ積層し、さらにソース・ドレイン電極及び引き回し配線となる第２配線７０を形成する。本実施形態においては、第２配線７０が、Ｔｉ、Ａｌ、Ｔｉの三層積層構造を有する構成とした。層間絶縁膜、第１配線６２と同層の導電層で形成される電極と、駆動ＴＦＴ１２のソース・ドレイン配線と同層の導電層で形成される電極とで、保持容量が形成される。引き回し配線は、アレイ基板５０周縁の端部にまで延在され、図２に示したＦＰＣ５２や集積回路４８を接続する端子を形成する。
【００５３】
駆動ＴＦＴ１２の上方においては、平坦化膜７２を形成する。平坦化膜７２としては感光性アクリル等の有機材料が多く用いられる。平坦化膜７２は、ＣＶＤ（chemical vapor deposition）法等により形成される無機絶縁材料に比べ、表面の平坦性に優れる。平坦化膜７２は、画素コンタクト部、及び周辺領域では除去される。平坦化膜７２の除去により露出された第２配線７０の上面は、ＩＴＯ(Indium Tin Oxide)からなる透明導電膜７４により被覆される。
【００５４】
続いて、透明導電膜７４と同層に、第３配線７６を設ける。本実施形態においては、この第３配線７６はＭｏ、Ａｌ、Ｍｏの三層積層構造で設けられ、周辺引き回し配線や、画素内で付加的に設けられる容量素子の形成に用いられる。先程、平坦化膜７２を除去した後に露出された第２配線７０の上面を透明導電膜７４で被覆するのは、第３配線７６のパターニング工程から第２配線７０の露出面を保護する意味もある。透明導電膜７４、及び第３配線７６の上面は、一旦、第３シリコン窒化膜７８で被覆される。その後、透明導電膜７４の画素コンタクト部において、第３シリコン窒化膜７８に開口部が設けられ、透明導電膜７４の上面の一部が露出される。
【００５５】
本実施形態において、上述した第１配線６２が存在する層から、この第３配線７６が存在する層までを、配線層８６と定義する。
【００５６】
その後、開口部から露出された透明導電膜７４の上面に接続されるよう、画素電極となる下部電極８０を形成する。本実施形態においては、下部電極８０は反射電極として形成され、ＩＴＯ、Ａｇ、ＩＴＯからなる三層積層構造を有する。画素コンタクト部においては、透明導電膜７４、第３シリコン窒化膜７８、下部電極８０によって付加容量が形成される。ところで、下部電極８０のパターニング時、一部において透明導電膜７４がエッチング環境にさらされるが、透明導電膜７４の形成工程後から、下部電極８０の形成工程までの間に行われるアニール処理によって、透明導電膜７４は下部電極８０のエッチングに対し耐性を有する。
【００５７】
下部電極８０の形成工程後、バンク、又はリブと呼ばれる、画素領域の隔壁となる絶縁膜８２を形成する。絶縁膜８２としては平坦化膜７２と同じく感光性アクリル等が用いられる。絶縁膜８２は、下部電極８０の上面を発光領域として露出するように開口され、その開口端はなだらかなテーパー形状となるのが好ましい。開口端が急峻な形状になっていると、後で形成される有機層１００のカバレッジ不良を生ずる。ここで、平坦化膜７２と絶縁膜８２は、両者の間に介在する第３シリコン窒化膜７８に設けた開口部を通じて接触させている部位を有する。この開口部は、絶縁膜８２の形成工程後の熱処理等を通じて、平坦化膜７２から脱離する水分や脱ガスを、絶縁膜８２を通じて引き抜くために設けている。
【００５８】
絶縁膜８２の形成後、有機層１００を構成する有機材料を積層形成する。有機層１００を構成する積層構造として、下部電極８０側から順に、正孔輸送層１０２、発光層１０４、電子輸送層１０６を積層形成する。本実施形態において、正孔輸送層１０２と電子輸送層１０６とは、複数のサブ画素に亘って形成され、発光層１０４は、サブ画素ごとに形成される。有機層１００は、蒸着による形成であってもよいし、溶媒分散の上での塗布形成であってもよい。また、有機層１００は、各サブ画素に対して、選択的に形成してもよいし、表示領域を覆う全面において、層状に形成されてもよい。有機層１００を層状に形成する場合は、全サブ画素において白色光を得て、カラーフィルタ（図示せず）によって所望の色波長部分を取り出す構成とすることができる。本実施形態においては、有機層１００を、各サブ画素に、選択的に形成する構成を採用する。
【００５９】
有機層１００の形成後、上部電極８４を形成する。本実施形態においては、トップエミッション構造としているため、上部電極８４は、透明導電材料、一例としてＩＺＯ（Indium Zinc Oxide）を用いて形成される。前述の有機層１００の形成順序に従うと、下部電極８０が陽極となり、上部電極８４が陰極となる。
【００６０】
これら上部電極８４、有機層１００、下部電極８０により、有機発光ダイオード６を構成している。本実施形態において、表示装置２は、緑色に発光する第１発光層１０４Ｇをその第１有機層１００Ｇ内に含む、第１有機発光ダイオード６Ｇと、赤色に発光する第２発光層１０４Ｒをその第２有機層１００Ｒ内に含む、第２有機発光ダイオード６Ｒと、青色に発光する第３発光層１０４Ｂをその第３有機層１００Ｂ内に含む、第３有機発光ダイオード６Ｂと、を備えている。
【００６１】
第１有機発光ダイオード６Ｇの下部電極８０は、第１駆動ＴＦＴ１２Ａに接続され、第２有機発光ダイオード６Ｒの下部電極８０は、第２駆動ＴＦＴ１２Ｂに接続され、第３有機発光ダイオード６Ｂの下部電極８０は、第３駆動ＴＦＴ１２Ｃに接続されている。
【００６２】
上部電極８４の形成後、パッシベーション層９０を形成する。パッシベーション層９０は、先に形成した有機層１００に、外部からの水分が侵入することを防止することをその機能の一つとしており、パッシベーション層９０としてはガスバリア性の高いものが要求される。本実施形態においては、パッシベーション層９０の積層構造として、第４シリコン窒化膜９２、アクリル樹脂などからなる有機樹脂膜９４、第５シリコン窒化膜９６の積層構造を採用した。更に、有機樹脂膜９４と、第５シリコン窒化膜９６との間に、シリコン酸化膜を介在させる構成としてもよい。
【００６３】
なお、本実施形態においては、有機発光ダイオード構造層３００の下端側にフィルム２００が接続され、有機発光ダイオード構造層３００の左端領域２６０、及び右端領域２７０が湾曲する構成としたが、本発明はこの構成に限定されない。即ち、有機発光ダイオード構造層３００における表示領域の表示方向に関わらず、有機発光ダイオード構造層３００の第１の端辺側にフィルム２００が接続され、第１の端辺と交差する第２の端辺領域、第３の端辺領域が湾曲する構成としてもよい。
【００６４】
本発明の思想の範疇において、当業者であれば、各種の変更例及び修正例に想到し得るものであり、それら変更例及び修正例についても本発明の範囲に属するものと了解される。例えば、前述の各実施形態に対して、当業者が適宜、構成要素の追加、削除若しくは設計変更を行ったもの、又は、工程の追加、省略若しくは条件変更を行ったものも、本発明の要旨を備えている限り、本発明の範囲に含まれる。
【符号の説明】
【００６５】
２  表示装置、４  画素アレイ部、６  有機発光ダイオード、６Ｇ  第１有機発光ダイオード、６Ｒ  第２有機発光ダイオード、６Ｂ  第３有機発光ダイオード、８  画素回路、１０  点灯ＴＦＴ、１２  駆動ＴＦＴ、１２Ａ  第１駆動ＴＦＴ、１２Ｂ  第２駆動ＴＦＴ、１２Ｃ  第３駆動ＴＦＴ、１４  キャパシタ、２０  走査線駆動回路、２２  映像線駆動回路、２４  駆動電源回路、２６  制御装置、２８  走査信号線、３０  映像信号線、３２  駆動電源線、４０  表示パネル、４４  湾曲領域、４６  駆動部形成領域、４８  集積回路、５０  アレイ基板、５２  ＦＰＣ、５４  第１シリコン酸化膜、５６  第１シリコン窒化膜、５８  第２シリコン酸化膜、６０  ゲート絶縁膜、６２  第１配線、６４  ポリシリコン膜、６６  第２シリコン窒化膜、６８  第３シリコン酸化膜、７０  第２配線、７２  平坦化膜、７４  透明導電膜、７６  第３配線、７８  第３シリコン窒化膜、８０  下部電極、８２  絶縁膜、８４  上部電極、８６  配線層、９０  パッシベーション層、９２  第４シリコン窒化膜、９４  有機樹脂膜、９６  第５シリコン窒化膜、１００  有機層、１００Ｇ  第１有機層、１００Ｒ  第２有機層、１００Ｂ  第３有機層、１０２  正孔輸送層、１０４  発光層、１０４Ｇ  第１発光層、１０４Ｒ  第２発光層、１０４Ｂ  第３発光層、１０６  電子輸送層、２００  フィルム、２５０  カバーガラス、２６０  左端領域、２７０  右端領域、３００  有機発光ダイオード構造層、Ｗ１  横幅、Ｗ２  横幅、Ｗ３  横幅。
【図１】
2019003026.tif 000003
【図２】
2019003026.tif 000004
【図３】
2019003026.tif 000005
【図４】
2019003026.tif 000006
【図５】
2019003026.tif 000007